(57)【要約】【課題】プラグユニットに接続された状態の継手部材を外す際に、継手部材の筒状部材をスライドさせなければならないが、従来のものでは、ホース止めを取り付けることを確実に防止することはできるものの、カバー部材の側面に介設された開口越しに筒状部材に指を掛けなければならず、作業性がきわめて悪い。また、カバー部材に複数個の開口を設けなければならず、また作業性を向上させるために開口の面積を大きくすれば、カバー部材自体の強度が低下する。【解決手段】カバー部材２を移動自在に取り付け、継手部材４を取り外す際には筒状部材４１が露出するようにした。また、カバー部材２が前進端位置まで戻されないとガス器具が作動しないようにセンサ３１を設けた。【選択図】  図４
2010210023.tif 000002
【特許請求の範囲】
【請求項１】
先端に進退自在に筒状部材を有し、連結状態ではこの筒状部材が先端側に所定距離突出する継手部材が連結されるプラグユニットが設けられたガス器具において、内径が筒状部材の外径より大きな筒状のカバー部材を、プラグユニットを囲繞した状態でプラグユニットの先端を保護する前進端位置と、連結状態の筒状部材の少なくとも一部が露出して筒状部材に指を掛けることができる後退端位置との間で進退自在に取り付けると共に、カバー部材が前進端位置にあることを電気的に検知して、カバー部材が前進端位置にいない状態では作動を停止することを特徴とするガス器具。
【請求項２】
先端に進退自在に筒状部材を有し、連結状態ではこの筒状部材が先端側に所定距離突出する継手部材が連結されるプラグユニットが設けられたガス器具において、プラグユニットの先端をカバーするカバー部材をプラグユニットに固定すると共に、連結状態の筒状部材を後退させて筒状部材をプラグユニットから取り外す連結解除機構をカバー部材に設けたことを特徴とするガス器具。
【発明の詳細な説明】
【技術分野】
【０００１】
本発明は、継手部材が連結されるプラグユニットが設けられたガス器具に関する。
【背景技術】
【０００２】
ガスコードと呼ばれる強化されたゴム管の先端に継手部材を取り付けると共に、ガス器具側にプラグユニットを設けておき、継手部材をプラグユニットにワンタッチで着脱するようにしたものが知られている。このプラグユニットは通常のゴム管を取り付けるためのプラグより長さが短いため、誤ってプラグユニットにゴム管を接続すると、簡単に外れて使用することができない。ただし、プラグユニットにゴム管を連結して、さらにゴム管の外側からゴム管を締め付けるホース止めを用いれば一見接続されたかのように錯覚してしまう。そして、このようにホース止めで無理矢理ゴム管を留めた状態で使用すると、ゴム管が外れやすく、好ましくない。
【０００３】
そこで、プラグユニットを囲繞する筒状のカバー部材をプラグユニットに固定して、誤ってプラグユニットにゴム管を接続しようとしても、カバー部材が邪魔になってホース止めを取り付けることができないようにすることにより、ゴム管が接続できなくするものが知られている（例えば、特許文献１参照）。
【先行技術文献】
【特許文献】
【０００４】
【特許文献１】特開平１１−６３３４４号公報（図２）
【発明の概要】
【発明が解決しようとする課題】
【０００５】
プラグユニットに接続された状態の継手部材を外す際に、継手部材の筒状部材をスライドさせなければならないが、上記特許文献１に記載されたものでは、ホース止めを取り付けることを確実に防止することはできるものの、カバー部材の側面に介設された開口越しに筒状部材に指を掛けなければならず、作業性がきわめて悪い。また、カバー部材に複数個の開口を設けなければならず、また作業性を向上させるために開口の面積を大きくすれば、カバー部材自体の強度が低下するという不具合が生じる。
【０００６】
そこで本発明は、上記の問題点に鑑み、カバー部材の強度を低下させることなく継手部材を取り外しやすいプラグユニットを備えたガス器具を提供することを課題とする。
【課題を解決するための手段】
【０００７】
上記課題を解決するために本発明によるガス器具は、先端に進退自在に筒状部材を有し、連結状態ではこの筒状部材が先端側に所定距離突出する継手部材が連結されるプラグユニットが設けられたガス器具において、内径が筒状部材の外径より大きな筒状のカバー部材を、プラグユニットを囲繞した状態でプラグユニットの先端を保護する前進端位置と、連結状態の筒状部材の少なくとも一部が露出して筒状部材に指を掛けることができる後退端位置との間で進退自在に取り付けると共に、カバー部材が前進端位置にあることを電気的に検知して、カバー部材が前進端位置にいない状態では作動を停止することを特徴とする。
【０００８】
上記構成では、カバー部材が前進端位置にある状態ではホース止めを取り付けることができないので、プラグユニットに誤ってゴム管が取り付けられることを防止できる。そして、継手部材を取り外す際にはカバー部材を後退端位置まで移動させることにより筒状部材に指を容易に掛けることができる状態になる。なお、カバー部材を後退端位置まで移動させた状態でホース止めを用いた場合には、カバー部材が前進端位置まで戻らないので、その状態ではガス器具を作動させないようにした。
【０００９】
また、本発明による他のガス器具は、先端に進退自在に筒状部材を有し、連結状態ではこの筒状部材が先端側に所定距離突出する継手部材が連結されるプラグユニットが設けられたガス器具において、プラグユニットの先端をカバーするカバー部材をプラグユニットに固定すると共に、連結状態の筒状部材を後退させて筒状部材をプラグユニットから取り外す連結解除機構をカバー部材に設けたことを特徴とする。
【００１０】
カバー部材自体はプラグユニットに固定されているので、常にホース止めの使用を防止することができる。そして、継手部材を取り外す際には連結解除機構によって筒状部材を後退させることにより、容易に継手部材を取り外すことができる。
【発明の効果】
【００１１】
以上の説明から明らかなように、本発明は、ホース止めの使用を防止するカバー部材を移動自在にしたので、継手部材を容易に取り外すことができる。また、ホース止めを誤って使用してもガス器具の作動を禁止するので、ゴム管が無理矢理接続された状態でガス器具が作動することがない。
【００１２】
また、他の発明では、連結解除機構によって継手部材を容易に取り外すことができる。
【図面の簡単な説明】
【００１３】
【図１】本発明の一実施の形態の構成を示す図
【図２】第１の実施形態におけるプラグユニットの外観図
【図３】その分解斜視図
【図４】その断面図
【図５】第２の実施形態におけるプラグユニットの分解斜視図
【図６】その断面図
【発明を実施するための形態】
【００１４】
本発明によるガス器具の第１の実施の形態を図１から図４を参照して説明する。図１および図２を参照して、ＦＨはガス器具であるガスファンヒータであり、背面の下部右側にプラグユニット１が取り付けられている。このプラグユニット１は後述する継手部材が連結されるプラグ本体１１と、このプラグ本体１１を覆うカバー部材２とを有している。
【００１５】
さらに、図３を合わせて参照して、プラグ本体１１にはねじ部１３が設けられており、カバー部材２に形成された雌ねじ部がこのねじ部１３に螺合する。また、プラグ本体１１には扇状のセンサ板３が取り付けられている。このセンサ板３にはセンサ３１が取り付けられている。
【００１６】
図４を参照して、カバー部材２はねじ部１３に螺合しているので、カバー部材２を回転させることによりカバー部材２はねじ部１３に沿って前後に移動することができる。４はガスコードＧＣの先端に取り付けられた継手部材である。この継手部材４の先端には筒状部材４１が設けられている。継手部材をプラグ本体１１に接続する際には、継手部材４をプラグ本体１１に向かって押し付けるだけで自動的に継手部材４はプラグ本体１１に接続される。そしてその際、筒状部材４１は所定量、継手部材４から突出する。次に継手部材４を取り外す際には、突出している筒状部材４１を継手部材４側に戻せばよい。
【００１７】
カバー部材２はプラグ本体１１の先端１２をカバーすることのできる前進端位置と、接続状態での筒状部材４１の一部が露出する後退端位置との間で移動することができる。カバー部材２の外周面には段部２１を形成しており、センサ３１はこの段部２１を電気的に検知して電気信号としてファンヒータＦＨに出力する。ファンヒータＦＨ内の制御装置（図示せず）はセンサ３１が段部２１を検知している間は作動を禁止し、段部２１を検知しない状態になると作動を許可する。そして、カバー部材２が前進端位置から後退端位置側に移動すると、センサ３１は段部２１を検知するように設定されている。すなわち、カバー部材２が前進端位置にある状態のみファンヒータＦＨは作動し、カバー部材２がそれ以外の位置ではファンヒータＦＨは作動が禁止される。
【００１８】
継手部材４を接続する際にはカバー部材２はどの位置でも継手部材４をプラグ本体１１に接続することはできるものの、接続後にはカバー部材２を前進端位置まで移動させなければファンヒータＦＨを作動させることができない。
【００１９】
一方、継手部材４を取り外す際には、カバー部材２を後退端位置まで移動させることにより筒状部材４１を露出させ、筒状部材４１を摘んで継手部材４側に移動させればよい。なお、プラグ本体１１にゴム管を接続しようとしてもホース止めを用いるとカバー部材２を前進端位置に戻すことができないので、ゴム管が接続された状態でファンヒータＦＨが作動することはない。
【００２０】
次に第２の実施の形態を、図５および図６を参照して説明する。５はブロック状のカバー部材であり、プラグ本体１１に固定される。したがって、カバー部材５が取り付けられた状態ではホース止めを使用することができないので、ゴム管の使用を防止することができる。
【００２１】
このカバー部材４の内部には連結解除機構として、プッシュロッド５１、Ｙ字リンク５２、押しリング５３が内蔵されている。プッシュロッド５１の一端がカバー部材５から露出しており、他端はＹ字リンク５２の軸部に揺動自在に連結されている。また、Ｙ字リンク５２の二股部には押しリング５３が揺動自在に連結されている。押しリング５３は継手部材４が連結された状態で筒状部材４１の先端に当接している。その状態でプッシュロッド５１の一端を押し込むと、Ｙ字リンク５２を介して押しリング５３が引き上げられる。すると、押しリング５３に押されて筒状部材４１が継手部材４の内部に押し込まれるので、継手部材４はプラグ本体１１から外れる。
【００２２】
なお、上記第１の実施形態では筒状部材２が前進端位置にある状態で、第２の実施形態では常にプラグ本体１１の先端１２を覆っているので、先端１２に何かがぶつかり先端１２が傷付くことを防止することができる。
【００２３】
なお、本発明は上記した形態に限定されるものではなく、本発明の要旨を逸脱しない範囲内において種々の変更を加えてもかまわない。
【符号の説明】
【００２４】
１ プラグユニット
２ カバー部材
３ センサ板
４ 継手部材
５ カバー部材
１１ プラグ本体
３１ センサ
４１ 筒状部材
ＦＨ ファンヒータ
ＧＣ ガスコード
【図１】
2010210023.tif 000003
【図２】
2010210023.tif 000004
【図３】
2010210023.tif 000005
【図４】
2010210023.tif 000006
【図５】
2010210023.tif 000007
【図６】
2010210023.tif 000008